(57)【特許請求の範囲】
【請求項１】
板紙、板紙合紙又はプラスチック製の中芯材を板紙、板紙合紙又はプラスチック製のライナー材で挟むことによってシート内部に音響微小空間を形成したシート材で構成されており、叩かれる側の面である打面を有する本体と、
左右に離間して配置されたスペーサを介して前記打面と所定の間隔をもって固定され、該打面の上部を覆うように該上部に取り付けられ、板紙、板紙合紙又はプラスチック板で形成された打面プレートと
を備え、
前記打面プレートの位置を叩いた際の打音が、前記打面における中央領域であって該打面プレートより下方の位置を叩いた際の打音よりも高音となる
ことを特徴とする打楽器。
【請求項２】
前記打面プレートは、該打面プレートの上端部が前記打面の上端辺からはみ出るように取り付けられていることを特徴とする請求項１に記載の打楽器。
【請求項３】
前記打面プレートの左右方向での幅WBは、前記本体の左右方向での幅をWCとして、両者の比WB／WCが０.５３以上であって１.０以下となるように設定されていることを特徴とする請求項１又は２に記載の打楽器。
【請求項４】
前記本体は、前記打面と対向する位置に、音響ホールの開口したホール面を有することを特徴とする請求項１から３のいずれか１項に記載の打楽器。
【請求項５】
前記本体の内部に、該本体の強度を向上させる補強板が設けられ、該補強板は、前記打面及び前記音響ホールにおける互いに対向する部分の少なくとも一部が該補強板に遮られずに対向するように設置されることを特徴とする請求項４に記載の打楽器。
【発明の詳細な説明】
【技術分野】
【０００１】
本発明は、空洞の内部を有する本体の表面を叩いて演奏する打楽器に関する。
【背景技術】
【０００２】
カホンは、南米ペルー発祥の打楽器の一種であり、主に木質材で形成されていて空洞の内部を有する箱状の本体を有し、例えば、演奏者がその上に跨がって本体の打面を手で叩くことにより打音を発する。カホンは元来、民族楽器であるが、近年フラメンコの演奏に持ち込まれ、現在では、各種レコーディング、ライブ、路上演奏にも頻繁に使用されている。実際、カホンは、叩く位置や叩き方によって、種々の高さや音色の打音を発することができる多彩なパーカッションとなっている。
【０００３】
本来カホンは、相当の大きさを有し、軽量とはいえず持ち運びに便利でもない。従って、例えば子供や年配者が気軽に楽しめる類の楽器ではなかった。そこで、例えば、特許文献１には、椅子に腰掛けながら膝上に載せて演奏する際に演奏し易い平型カホンが提案されている。この平型カホンでは、本体を薄型にした上で、低音と高音とを分離するべく打面を少なくとも２つの領域に分割している。
【０００４】
また、特許文献２には、小型且つシンプルな構造で、より広音域且つより良音質の打音を実現することを意図したカホンが開示されている。このカホンでは、本体の所定の板面に開放音口が開けられ、当該開放音口に重合して本体内に突出した音口筒が設けられている。
【先行技術文献】
【特許文献】
【０００５】
【特許文献１】実用新案登録第３１８４７４４号公報
【特許文献２】特開２００５−２６６７３２号公報
【発明の概要】
【発明が解決しようとする課題】
【０００６】
しかしながら、これらの従来のカホンにおいては、尚、日常の生活空間において手軽に演奏し、カホン特有の音質を享受することは困難であった。
【０００７】
実際、木質材で作製されたカホンは、本来、非常に大きな響き渡る打音を発する。従って、例えば集合住宅や住宅密集地等のように騒音が問題となる空間においてプライベートに演奏するのには不適である。
【０００８】
また、音響を抑えて音量を低下させるために、例えば紙材やプラスチック材で同様の構造を有するカホンを作製したとしても、今度はその音質に問題が生じる。特に、カホンはその音色や高打音（周波数のより高い打音）及び低打音（周波数のより低い打音）の多彩さに特色があり、本来木質材を使って達成していたその音質を、他の素材を用いて実現することは非常に困難である。
【０００９】
さらに、日常の生活空間において、子供や年配者も打楽器を気軽に楽しみたい場面が少なくない。また、例えば、保育園、幼稚園、小学校や中学校等でも、音楽教育の一環として本格的な打楽器を教材に取り入れたいとのニーズが存在する。この場合、例えば、生徒の１人１人がカホンを容易に持ち運び、自分の演奏位置で又は家庭に持ち帰ってカホンを演奏することが望まれる。しかしながら、従来、本格的な音質の打音を発し且つ容易に持ち運び可能なカホンは実現してこなかった。
【００１０】
そこで、本発明は、高音質の高打音及び低打音を分離して発生させることができ且つその音量を抑制し、さらに軽量且つ容易に持ち運び可能な打楽器を提供することを目的とする。また、１つの軽量且つ持ち運び可能な打楽器で、高音質の高打音及び低打音を分離して発生させる方法を提供することを目的とする。
【課題を解決するための手段】
【００１１】
本発明によれば、板紙、板紙合紙又はプラスチック製の中芯材を板紙、板紙合紙又はプラスチック製のライナー材で挟むことによってシート内部に音響微小空間を形成したシート材で構成されており、叩かれる側の面である打面を有する本体と、
左右に離間して配置されたスペーサを介して打面と所定の間隔をもって固定され、この打面の上部を覆うようにこの上部に取り付けられ、板紙、板紙合紙又はプラスチック板で形成された打面プレートと
を備え、
この打面プレートの位置を叩いた際の打音が、打面における中央領域であってこの打面プレートよりも下方の位置を叩いた際の打音よりも高音となる打楽器が提供される。
【００１３】
さらに、本発明による打楽器において、打面プレートは、この打面プレートの上端部が打面の上端辺からはみ出るように取り付けられていることも好ましい。
【００１４】
また、本発明による打楽器の一実施形態として、打面プレートの左右方向での幅WBは、本体の左右方向での幅をWCとして、両者の比WB／WCが０.５３以上であって１.０以下となるように設定されていることも好ましい。
【００１５】
さらに、本発明による打楽器において、本体は、打面と対向する位置に、音響ホールの開口したホール面を有することも好ましい。
【００１６】
また、本発明による打楽器の他の実施形態として、本体の内部に、この本体の強度を向上させる補強板が設けられ、この補強板は、打面及び音響ホールにおける互いに対向する部分の少なくとも一部がこの補強板に遮られずに対向するように設置されることも好ましい。
【発明の効果】
【００１９】
本発明の打楽器及び高低打音発生方法によれば、１つの軽量且つ容易に持ち運び可能な打楽器で、高音質の高打音及び低打音を分離して発生させることができ、且つ音量を抑制することができる。
【図面の簡単な説明】
【００２０】
【図１】本発明による打楽器の一実施形態を概略的に示す斜視図、平面図及び断面図である。
【図２】本発明による打楽器の他の実施形態を概略的に示す斜視図、平面図及び断面図である。
【図３】本発明による打楽器の更なる他の実施形態を概略的に示す斜視図、平面図及び断面図である。
【図４】本発明に係るボルカホンについて、打音の音質評価実験及び叩き心地評価実験を実施した結果を示すテーブルである。
【図５】本発明に係るボルカホンについて、音質及び叩き心地評価実験での合計評価値と、打面プレートの幅WBとの関係を示すグラフである。
【図６】本発明に係るボルカホンにおける補強構造についての実施形態を示す透過斜視図である。
【図７】本発明による打楽器の一実施形態を示す正面図である。
【図８】図７に示した打楽器の背面図である。
【図９】図７に示した打楽器の右側面図である。
【図１０】図７に示した打楽器の平面図である。
【図１１】図７に示した打楽器の底面図である。
【図１２】図７に示した打楽器の斜視図である。
【図１３】図７に示した打楽器における使用状態を示す参考図である。
【図１４】本発明による打楽器の他の実施形態を示す正面図である。
【図１５】図１４に示した打楽器の背面図である。
【図１６】図１４に示した打楽器の右側面図である。
【図１７】図１４に示した打楽器の平面図である。
【図１８】図１４に示した打楽器の底面図である。
【図１９】図１４に示した打楽器の斜視図である。
【図２０】図１４に示した打楽器における使用状態を示す参考図である。
【図２１】本発明による打楽器の更なる他の実施形態を示す正面図である。
【図２２】図２１に示した打楽器の背面図である。
【図２３】図２１に示した打楽器の右側面図である。
【図２４】図２１に示した打楽器の平面図である。
【図２５】図２１に示した打楽器の底面図である。
【図２６】図２１に示した打楽器の斜視図である。
【図２７】図２１に示した打楽器における使用状態を示す参考図である。
【発明を実施するための形態】
【００２１】
以下に、本発明を実施するための形態について、添付図面を参照しながら詳細に説明する。なお、各図面において、同一の要素は、同一の参照番号を用いて示されている。また、図面中の構成要素内及び構成要素間の寸法比は、図面の見易さのため、それぞれ任意となっている。さらに、各図中には、必要に応じ、打楽器の向きの指標となるXYZ座標系が示されている。
【００２２】
［ボルカホン構成］
図１は、本発明による打楽器の一実施形態を概略的に示す斜視図、平面図及び断面図である。ここで、図１（Ｂ）は、打楽器の上面を示す平面図であり、図１（Ｃ）は、図１（Ａ）のＡ−Ａ線による断面図（YZ面断面図）である。
【００２３】
図１（Ａ）に、本発明による打楽器（カホン）の一実施形態であるボルカホン１が示されている。ボルカホン１は、
（ａ）中芯材をライナー材で挟むことによってシート内部に音響微小空間を形成したシート材で構成された「本体」１１と、
（ｂ）板紙、板紙合紙又はプラスチック板で形成された「打面プレート」１２と
を備えている。
【００２４】
「本体」１１は、概ね直方体形状であり、内部に音響のための空洞を有する。また、演奏者の手で叩かれる側の面である打面１６を有する。本体１１は、さらに、打面１６と対向する位置に、音響ホール１４の開口したホール面１５を有することも好ましい。尚、本体１１の形状は直方体形状に限定されるものではなく、図２（Ａ）に示した四角錐台形状等、種々の立体形状をとることが可能である。
【００２５】
本体１１を構成するシート材の中芯材及びライナー材は、板紙、板紙合紙又はプラスチックで形成されている。例えば、図１（Ｃ）の断面に示されているように、本体１１のシート材として段ボールを用いることができる。段ボールは、例えば波型（フルート）に加工された中芯材と、当該中芯材を間に挟んだ２枚のライナー材との間に、例えば波間に相当する多数の微小空間（音響微小空間）を有する。ボルカホン１は、このように多数の音響微小空間を備えた本体１１の内部に、さらに音響空洞を備えることによって、木質材で作製された一般的なカホンと類似する独特の音色・音質を有する打音を発生させることができるのである。
【００２６】
尚、本体１１を構成する段ボールは例えばK6BFとしてもよい。ここで、前２つの記号K6はライナー材の種類を表す。また、後２つの記号BFはフルートのグレードを表す。当然に、本体１１を構成する段ボールとして、他の種類・グレードのものを使用してもよい。例えば、ライナー材の表裏にそれぞれ（B）フルート中芯材及び（A）フルート中芯材を貼り合わせ、さらにそれらをライナー材で挟んだWFグレードのものを使用することも可能である。
【００２７】
また、本体１１の段ボールの厚みを変えることで段ボール内の音響微小空間を変化させ、音色、音質や音の高低を変えることも可能である。いずれにしても、段ボール製の本体１１を有するボルカホン１は、生産性も高く、十分な機械的耐久性を有し、しかも安価に製造される。従って、例えば、学校や各種集会等で多人数が集まって演奏する場合にも、１人１人に配ることができて非常に好適である。
【００２８】
また、上述したシート材で構成された本体１１は、同サイズの木質材で作製されたカホン本体と比較して十分に軽量である。そのため、ボルカホン１は、本体１１のサイズを例えば（X、Y、Z軸方向の順に）２１ｃｍ×２４ｃｍ×２４ｃｍとして、容易に持ち運び可能又は携帯可能となる。ちなみに、例えば、本体１１の底面に手持ち穴１９を開けておき、手持ち穴に手を入れて持ち運ぶようにすることも好ましい。手持ち穴１９は、底面、側面又は上面に小さな面積で開けられている限り、打音の音質に大きな影響を与えない。
【００２９】
「打面プレート」１２は、図１（Ａ）に示すように、例えば厚みをもった楕円又は円形状であり、図１（Ｂ）に示すように、打面１６と所定の間隔SBをもって少なくとも打面１６の上部を覆うように取り付けられている。間隔SBは、１.０〜５.０ｍｍに設定されることも好ましい。また、本実施形態では特に、打面プレート１２は、打面１６の上部に取り付けられ、図１（Ｃ）に示すように、打面プレート１２の上端部は、打面１６の上端辺からはみ出し量PBだけはみ出ている。これにより、より（周波数の）高い打音を発生させることができる。はみ出し量PBは、３〜２０ｍｍに設定されることも好ましい。尚、打面プレート１２の形状は楕円又は円に限定されるものではなく、例えば四角形としてもよい。
【００３０】
打面プレート１２は、本体１１に対しスペーサ１３を間に挟んで取り付けられている。スペーサ１３は、例えばマジックテープ（登録商標）等の面ファスナとすることができる。面ファスナは、例えば一方の面が接着材面であって他方の面が雌又は雄のファスナ面であるものを用いてもよい。この場合、打面プレート１２は、脱着可能となり、本体１１に対する取り付け位置も調整することができる。また、スペーサ１３として、板紙、板紙合紙、プラスチック板、段ボール又は樹脂板等を使用することも可能である。この場合、スペーサ１３は例えばのり、接着剤又は接着テープによって打面プレート１２及び本体１１に接着される。
【００３１】
以上に示した構成を有するボルカホン１では、図１（Ａ）に示すように、打面１６における上方（＋Z向き）の位置であって打面プレート１２の位置を叩いた際の打音が、打面１６における中央領域の位置、本実施形態では打面１６における打面プレート１２より下方（−Z向き）の位置を叩いた際の打音よりも高音となる。即ち、打面プレート１２の位置を叩くと高打音（周波数のより高い打音）が発生し、打面プレート１２の下方の打面中央付近の位置を叩くと低打音（周波数のより低い打音）が発生する。
【００３２】
また、本体１１及び打面プレート１２は以上に説明したような材料で形成されているので、打面プレートの位置を叩いた際の高打音の音量、及び打面１６における中央領域の位置を叩いた際の低打音の音量は、本体１１と同サイズの本体を有する木質材製の打楽器を同様の打力で叩いた際の打音の音量よりも抑制されている。その結果、例えば集合住宅や住宅密集地等のように騒音が問題となる空間においても、高打音及び低打音を分離して発生させつつ音量を抑制し、本格的な演奏を享受することが可能となる。
【００３３】
さらに、以上に説明した打面プレート１２を設置することによって、本格的な高音質の打音を発生させることができる。打面プレート１２は、板紙、板紙合紙又はプラスチック板で形成されており、段ボール材と比較すると全体が緻密になっている。そのため、叩かれて振動した際、シート材（段ボール）で形成された本体１１と相まって、より高音であってしかもカホン特有の音響を有する本格的な打音を発生させることができる。
【００３４】
ここで、後に図５を用いて説明するように、打面プレート１２の左右方向（X軸方向）での幅WB（図１（Ｂ））は、本体１１の左右方向（X軸方向）での幅をWC（図１（Ｂ））として、次式
（１）  ０.５３≦WB／WC≦１.０
を満たすことも好ましい。このような比WB／WCに設定することによって、打面プレート１２と本体１１との共振の具合が最適となり、より木質材製のカホンに近い本格的な高音質の打音を得ることができる。
【００３５】
図２は、本発明による打楽器の他の実施形態を概略的に示す斜視図、平面図及び断面図である。ここで、図２（Ｂ）は、打楽器の上面を示す平面図であり、図２（Ｃ）は、図２（Ａ）のＢ−Ｂ線による断面図（YZ面断面図）である。
【００３６】
図２（Ａ）に、本発明による打楽器（カホン）の他の実施形態であるボルカホン２が示されている。ボルカホン２も、ボルカホン１と同様に、
（ａ）中芯材をライナー材で挟むことによってシート内部に音響微小空間を形成したシート材で構成された「本体」２１と、
（ｂ）板紙、板紙合紙又はプラスチック板で形成された「打面プレート」２２と
を備えている。
【００３７】
「本体」２１は、概ね四角錐台状であり、内部に音響のための空洞を有する。また、演奏者の手で叩かれる側の面である打面２６は、四角錐台の底面に相当する面となっている。本体２１は、さらに、打面２６と対向する位置に、音響ホール２４の開口したホール面２５を有することも好ましい。
【００３８】
本体２１の構成材は、上述した本体１１と同様であり、例えば、図２（Ｃ）の断面に示すように段ボールを用いることができる。従って、ボルカホン２においても、ボルカホン１と同様、多数の音響微小空間を備えた本体２１の内部に、さらに音響空洞を備えることによって、木質材で作製された一般的なカホンと類似する独特の音色・音質を有する打音を発生させることができるのである。尚、本体２１を構成する段ボールも例えばK6BFとすることができるが、当然に、他の種類・グレードの段ボールを使用してもよい。
【００３９】
また、本体２１の段ボールの厚みを変えることで段ボール内の音響微小空間を変化させ、音色、音質や音の高低を変えることも可能である。いずれにしても、段ボール製の本体２１を有するボルカホン１は、生産性も高く、十分な耐久性を有し、しかも安価に製造される。従って、例えば、学校や各種集会等で多人数が集まって演奏する場合にも、１人１人に配ることができて非常に好適である。
【００４０】
さらに、本体２１は、上述した本体１１と同様、同サイズの木質材で作製されたカホン本体と比較して十分に軽量である。そのため、ボルカホン２も、容易に持ち運び可能又は携帯可能となる。特に、ボルカホン２は、四角錐台状であるので、例えば打面２６を前にし、脇に抱えて演奏するのにも適している。ちなみに、例えば、本体２１の側面に手持ち穴２９を開けておき、手持ち穴に手を入れて持ち運ぶようにすることも好ましい。手持ち穴２９は、側面に小さな面積で開けられている限り、打音の音質に大きな影響を与えない。
【００４１】
「打面プレート」２２の構成材、形状、及び本体２１への取り付けも、打面プレート１２と同様である。即ち、打面プレート２２も、図２（Ｂ）に示すように、打面２６と所定の間隔SB'をもって少なくとも打面２６の上部を覆うように取り付けられている。間隔SB'は、１.０〜５.０ｍｍに設定されることも好ましい。また、本実施形態では特に、打面プレート２２は、打面２６の上部に取り付けられ、図２（Ｃ）に示すように、打面プレート２２の上端部は、打面２６の上端辺からはみ出し量PB'だけはみ出ている。これにより、より（周波数の）高い打音を発生させることができる。はみ出し量PB'は、３〜２０ｍｍに設定されることも好ましい。また、スペーサ２３も、上述したスペーサ１３と同様であり、例えば面ファスナとすることができる。
【００４２】
以上に示した構成を有するボルカホン２でも、図２（Ａ）に示すように、打面２６における上方（＋Z向き）の位置であって打面プレート２２の位置を叩いた際の打音が、打面２６における中央領域の位置、本実施形態では打面２６における打面プレート２２より下方（−Z向き）の位置を叩いた際の打音よりも高音となる。即ち、打面プレート２２の位置を叩くと高打音が発生し、打面プレート２２の下方の打面中央付近の位置を叩くと低打音が発生する。
【００４３】
また、本体２１及び打面プレート２２はそれぞれ、上述した本体１１及び打面プレート１２と同様の材料で形成されており、打面プレートの位置を叩いた際の高打音の音量、及び打面２６における中央領域の位置を叩いた際の低打音の音量は、本体２１と同サイズの本体を有する木質材製の打楽器を同様の打力で叩いた際の打音の音量よりも抑制されている。その結果、例えば集合住宅や住宅密集地等のように騒音が問題となる空間においても、高打音及び低打音を分離して発生させつつ音量を抑制し、本格的な演奏を享受することが可能となる。
【００４４】
さらに、以上に説明した打面プレート２２を設置することによって、本格的な高音質の打音を発生させることができる。打面プレート２２は、板紙、板紙合紙又はプラスチック板で形成されており、段ボール材と比較すると全体が緻密になっている。そのため、叩かれて振動した際、シート材（段ボール）で形成された本体２１と相まって、より高音であってしかもカホン特有の音響を有する本格的な打音を発生させることができる。
【００４５】
ここで、打面プレート２２についても、打面プレート１２と同様、打面プレート２２の左右方向（X軸方向）での幅WB'（図２（Ｂ））は、本体２１の左右方向（X軸方向）での幅をWC'（図２（Ｂ））として、上述した式（１）を満たすことが好ましいことが実験により確認されている。式（１）のような比WB'／WC'に設定することによって、打面プレート２２と本体２１との共振の具合が最適となり、より木質材製のカホンに近い本格的な高音質の打音を得ることができる。
【００４６】
図３は、本発明による打楽器の更なる他の実施形態を概略的に示す斜視図、平面図及び断面図である。ここで、図３（Ｂ）は、打楽器の上面を示す平面図であり、図３（Ｃ）は、図３（Ａ）のＣ−Ｃ線による断面図（YZ面断面図）である。
【００４７】
図３（Ａ）に、本発明による打楽器の更なる他の実施形態であるボルカホン３が示されている。ボルカホン３も、ボルカホン１と同様に、
（ａ）中芯材をライナー材で挟むことによってシート内部に音響微小空間を形成したシート材で構成された「本体」３１と、
（ｂ）板紙、板紙合紙又はプラスチック板で形成された「打面プレート」３２と
を備えている。
【００４８】
「本体」３１は、概ね直方体形状であり、内部に音響のための空洞を有する。また、演奏者の手で叩かれる側の面である打面３６を有する。本体３１は、さらに、打面３６と対向する位置に、音響ホール３４の開口したホール面３５を有することも好ましい。尚、図示していないが、本体３１の打面３６の例えば中央領域に音響ホールを開けてもよい。この場合、この音響ホールは、打面プレート３２に覆われることになる。尚、本体３１の形状も直方体形状に限定されるものではなく、種々の立体形状をとることが可能である。
【００４９】
本体３１の構成材は、上述した本体１１と同様であり、例えば、図３（Ｃ）の断面に示すように段ボールを用いることができる。従って、ボルカホン３においても、ボルカホン１と同様、多数の音響微小空間を備えた本体３１の内部に、さらに音響空洞を備えることによって、木質材で作製された一般的なカホンと類似する独特の音色・音質を有する打音を発生させることができるのである。尚、本体３１を構成する段ボールは例えばK6AFとすることができるが、当然に、他の種類・グレードの段ボールを使用してもよい。
【００５０】
また、本体３１の段ボールの厚みを変えることで段ボール内の音響微小空間を変化させ、音色、音質や音の高低を変えることも可能である。いずれにしても、段ボール製の本体３１を有するボルカホン３は、生産性も高く、十分な耐久性を有し、しかも安価に製造される。従って、例えば、学校や各種集会等で多人数が集まって演奏する場合にも、１人１人に配ることができて非常に好適である。
【００５１】
また、本体３１は、上述した本体１１と同様、同サイズの木質材で作製されたカホン本体と比較して十分に軽量である。そのため、ボルカホン３は、本体３１のサイズを例えば（X、Y、Z軸方向の順に）３０ｃｍ×３０ｃｍ×４５ｃｍとして、容易に持ち運び可能となる。
【００５２】
「打面プレート」３２は、図３（Ａ）に示すように、打面３６の全面を覆うような厚みをもった四角形状であり、図３（Ｂ）に示すように、打面３６と所定の間隔SB''をもって少なくとも打面３６の上部を覆うように取り付けられている。間隔SB''は、０.５〜２.０ｍｍに設定されることも好ましい。尚、打面プレート３２の形状は四角形に限定されるものではなく、例えば楕円又は円としてもよい。ここで、打面プレート３２は、少なくとも打面３６の上部を覆っており、さらに、打面３６の中央領域をも覆っていればよい。
【００５３】
打面プレート３２は、本体３１に対しスペーサ３３を間に挟んで取り付けられている。スペーサ３３は、上述したスペーサ１３と同様であり、例えば面ファスナとすることができる。
【００５４】
以上に示した構成を有するボルカホン３では、図３（Ａ）に示すように、打面３６における上方（＋Z向き）の位置であって打面プレート３２の上方の位置を叩いた際の打音が、打面３６における中央領域にあたる位置、本実施形態では打面プレート３２の面内の中央領域の位置を叩いた際の打音よりも高音となる。即ち、打面プレート３２の上方の位置を叩くと高打音が発生し、打面プレート３２の中央付近の位置を叩くと低打音が発生する。尚、本実施形態では、打面プレート３２の上方のみならず、打面プレート３２の周縁部を叩くことでも高打音を発生させることができる。
【００５５】
また、本体３１及び打面プレート３２はそれぞれ、上述した本体１１及び打面プレート１２と同様の材料で形成されており、打面プレートの上方又は周縁部の位置を叩いた際の高打音の音量、及び打面プレートの中央領域の位置を叩いた際の低打音の音量は、本体３１と同サイズの本体を有する木質材製の打楽器を同様の打力で叩いた際の打音の音量よりも抑制されている。その結果、例えば集合住宅や住宅密集地等のように騒音が問題となる空間においても、高打音及び低打音を分離して発生させつつ音量を抑制し、本格的な演奏を享受することが可能となる。
【００５６】
さらに、以上に説明した打面プレート３２を設置することによって、本格的な高音質の打音を発生させることができる。打面プレート３２は、板紙、板紙合紙又はプラスチック板で形成されており、段ボール材と比較すると全体が緻密になっている。そのため、叩かれて振動した際、シート材（段ボール）で形成された本体３１と相まって、カホン特有の音響を有する本格的な打音を発生させることができる。
【００５７】
［音質・叩き心地評価］
次に、本発明によるボルカホンについて、打音の音質及び叩き心地を評価する実験を行った実施例を示す。この実験では、打面プレートとして種々の構成、材質及びサイズのものを用い、この打面プレート（の上部）を叩いた際に発生した高打音と、この打面プレートの下方の打面中央部又はこの打面プレートの中央部を叩いた際に発生した低打音とを、１０人（又は８人）の実験者が実際にボルカホンを演奏し、打音を聴いて評価した。１０人（又は８人）の実験者は、予め、木質材製のカホンの打音を聴いて評価「５」の基準とし、単純な段ボール箱を叩いた音を聞いて評価「１」の基準として認識した。その上で、ボルカホンの高低打音を聞いて、「１」（低音質）、「２」、「３」（平均的な音質）、「４」、「５」（高音質）の評価付けを行った。
【００５８】
また、１人の実験者が実際にボルカホンを演奏し、叩き心地を評価した。この実験者は木質材製のカホンの演奏経験者であり、予め、木質材製のカホンを演奏してその際の叩き心地を評価「５」の基準とし、単純な段ボール箱を叩いてその際の叩き心地を評価「１」の基準として認識した。その上で、ボルカホンの高低打音を叩いて発生させ、「１」（不良な叩き心地）、「２」、「３」（平均的な叩き心地）、「４」、「５」（良好な叩き心地）の評価付けを行った。
【００５９】
図４（Ａ）は、本発明に係るボルカホン１について、打音の音質評価実験及び叩き心地評価実験を実施した結果を示すテーブルである。また、図４（Ｂ）は、本発明に係るボルカホン３について、打音の音質評価実験を実施した結果を示すテーブルである。
【００６０】
図４（Ａ）によれば、ボルカホン１について打面プレート１２の異なる１５サンプル（No.1〜No.15）が評価された。打面プレート１２の構成は、
（No.1）コートボール：重量400g、楕円（１４０ｍｍ×６０ｍｍ）形状、厚さ０.４ｍｍ
（No.2）段ボールC5GF、楕円（１４０ｍｍ×６０ｍｍ）形状、厚さ１.０ｍｍ
（No.3）段ボールK5EF、楕円（１４０ｍｍ×６０ｍｍ）形状、厚さ１.６ｍｍ
（No.4）段ボールK6BF、楕円（１４０ｍｍ×６０ｍｍ）形状、厚さ３.０ｍｍ
（No.5）段ボールK6AF、楕円（１４０ｍｍ×６０ｍｍ）形状、厚さ５.０ｍｍ
（No.6）段ボールK6WF、楕円（１４０ｍｍ×６０ｍｍ）形状、厚さ８.０ｍｍ
（No.7）ダンプラ、楕円（１４０ｍｍ×６０ｍｍ）形状、厚さ３.０ｍｍ
（No.8）ダンプラ、楕円（１４０ｍｍ×６０ｍｍ）形状、厚さ５.０ｍｍ
（No.9）板紙合紙、楕円（６０ｍｍ×６０ｍｍ）形状、厚さ１.０ｍｍ
（No.10）板紙合紙、楕円（１００ｍｍ×６０ｍｍ）形状、厚さ１.０ｍｍ
（No.11）板紙合紙、楕円（１４０ｍｍ×６０ｍｍ）形状、厚さ１.０ｍｍ
（No.12）板紙合紙、楕円（１８０ｍｍ×６０ｍｍ）形状、厚さ１.０ｍｍ
（No.13）板紙合紙、楕円（２１０ｍｍ×６０ｍｍ）形状、厚さ１.０ｍｍ
（No.14）板紙合紙、楕円（２４０ｍｍ×６０ｍｍ）形状、厚さ１.０ｍｍ
（No.15）板紙合紙、四角（１４０ｍｍ×６０ｍｍ）形状、厚さ１.０ｍｍ
であった。
【００６１】
ここで、コートボールは板紙の一種である。ダンプラはプラスチック製の段ボールである。また、板紙合紙は、チップボールをコートボールで挟んだ３層のものを使用した。また、ボルカホン１の本体１１は、（X、Y、Z軸方向の順に）２１ｃｍ×２４ｃｍ×２４ｃｍの直方体形状を有し、段ボールK6BFで形成されたものであった。
【００６２】
これらの１５サンプルの評価は、１０人の実験者によって付された音質評価スコアの合計と、１人の実験者によって付された叩き心地評価スコアとの合計値（合計評価）で行った。
【００６３】
図４（Ａ）のテーブルによれば、打面プレート１２が幅WB＝１４０ｍｍの板紙合紙であるサンプルNo.11及びNo.15において、合計評価が４０点台の高い値を示している。サンプル全体として材質のみに注目すると、
（板紙合紙）＞（ダンプラ）≒（コートボール）＞（段ボール）
の順で、合計評価が高くなる傾向にあることが分かる。即ち、打面プレート１２の構成材としては、板紙合紙、ダンプラ（プラスチック）又はコートボール（板紙）が好ましく、板紙合紙がより好ましいことが理解される。
【００６４】
次に、図４（Ｂ）によれば、ボルカホン３について本体３１又は打面プレート３２構成の異なる３サンプル（No.16〜No.18）が評価された。これらのサンプルの構成は、
（No.16）本体：厚さ５ｍｍの段ボールK6AF、打面プレート：厚さ１.０ｍｍの板紙合紙
打面プレート（板紙合紙）は本体に対しテープ止め、
（No.17）本体：厚さ５ｍｍの段ボールK6AF、打面プレート：厚さ１.０ｍｍの板紙合紙
打面プレート（板紙合紙）は本体に対しのり止め、
（No.18）本体：厚さ８ｍｍの段ボールK6WF、打面プレート：厚さ１.０ｍｍの板紙合紙
打面プレート（板紙合紙）は本体に対し面ファスナでの固定
であった。
【００６５】
ここで、板紙合紙は、チップボールをコートボールで挟んだ３層のものを使用した。また、ボルカホン３の本体３１は、（X、Y、Z軸方向の順に）３０ｃｍ×３０ｃｍ×４５ｃｍの直方体形状を有していた。さらに、上記の３サンプルの評価は、８人の実験者によって付された音質評価スコアの合計値（合計評価）で行った。
【００６６】
図４（Ｂ）のテーブルによれば、ボルカホンの本体３１を厚さ８ｍｍの段ボールK6WFとし、打面プレート（板紙合紙）３２を本体３１に対し面ファスナでの固定した場合に、合計評価値が最も大きくなることが分かる。
【００６７】
図５は、本発明に係るボルカホンについて、音質及び叩き心地評価実験での合計評価値と、打面プレートの幅WBとの関係を示すグラフである。このグラフは、図４に示したサンプルNo.9〜No.14（打面プレート：板紙合紙）のデータに基づいて作成されている。
【００６８】
図５によれば、音質及び叩き心地評価実験での合計評価値は、打面プレート１２の左右方向（X軸方向）での幅WBと、本体１１の左右方向での幅WC（X軸方向）との比WB／WCが０.６７である場合に最大値をとる。即ち、打面プレート１２の幅が本体の幅の概ね２／３である場合に、音質及び叩き心地の点で総合的に最も良好なボルカホンが実現することが分かる。
【００６９】
ここで、図４に示した音質及び叩き心地評価実験では、「３」が平均的な音質及び叩き心地を示している。従って、平均以上の良好な評価を示す合計評価値の最低基準は、「３」×１１＝「３３」となる。この合計評価値の最低基準を、図４において横に伸長した破線で示す。図４のグラフにおいて、最低基準（横破線）以上の合計評価値を示すのは、比WB／WCが、上述した式（１）、即ち、
（１）  ０.５３≦WB／WC≦１.０
の条件を満たす場合であることが分かる。従って、打面プレートの左右方向での幅WBは、本体の左右方向での幅をWCとして、両者の比WB／WCが０.５３以上であって１.０以下となるように設定されていることが好ましいことが理解される。この条件を満たすボルカホンでは、平均以上の良好な音質及び叩き心地が実現されるのである。
【００７０】
［補強構造等］
図６は、本発明に係るボルカホンにおける補強構造についての実施形態を示す透過斜視図である。
【００７１】
図６（Ａ）に示した実施形態では、ボルカホン１の内部の空洞に、本体１１の強度を向上させるための補強板１７が設置されている。ここで、本体１１を例えば段ボールK6BFで形成し、補強板１７を例えばより厚みのある段ボールK6WFで形成することも好ましい。補強板１７は、当然に図６（Ａ）の実施形態に限定されるものではないが、打面１６及び音響ホール１４における互いに対向する部分の少なくとも一部が補強板１７に遮られずに対向するように設置されることが好ましい。このように補強板１７を設置することによって、打面１６の振動による音響ホール１４を開口端とした本体１１全体の共振が確保され、響きの良い打音が生成される。
【００７２】
尚、図示されていないが、本体１１の上面（天面）の表面に、座面補強板が貼付されていてもよい。座面補強板を設置することによって、演奏者が演奏のためにボルカホン１に座っても、本体１１の上面が抜け落ちたりせず維持される。ここで、本体１１を例えば段ボールK6BFで形成し、座面補強板を例えばより厚みのある段ボールK6WFで形成することも好ましい。
【００７３】
また、図６（Ｂ）に示した実施形態では、ボルカホン３の内部の空洞に、本体３１の強度を向上させるための補強板３７が設置されている。ここで、本体３１及び補強板３７を例えば段ボールK6AFで形成することも好ましい。補強板３７は、当然に図６（Ｂ）の実施形態に限定されるものではないが、打面３６及び音響ホール３４における互いに対向する部分の少なくとも一部が補強板３７に遮られずに対向するように設置されることが好ましい。このように補強板３７を設置することによって、打面３６の振動による音響ホール３４を開口端とした本体３１全体の共振が確保され、響きの良い打音が生成される。
【００７４】
さらに、図６（Ｂ）に示すように、ボルカホン３は、打面３６の裏側（内側）に音響弦部３８を備えていることも好ましい。音響弦部３８は、例えばギター等の弦楽器の複数の弦を、ある程度の強さで張った状態で打面３６の裏側（内側）に貼り付けたものである。音響弦部３８は、スネアドラムの響き線と同様の役割を果たし、打音に独特の響きを付与することができる。
【００７５】
尚、ボルカホン１（ボルカホン３）においても、図６（Ｂ）（図６（Ａ））の補強板３７（補強板１７）と同構造の補強板を使用してもよい。さらに、ボルカホン１においても、音響弦部３８と同様の構造が設けられていてもよい。
【００７６】
［打楽器の意匠］
図７は、本発明による段ボール打楽器の一実施形態（ボルカホン１）を示す正面図である。また、図８は、図７に示した打楽器の背面図である。図９は、図７に示した打楽器の右側面図である。図１０は、図７に示した打楽器の平面図である。図１１は、図７に示した打楽器の底面図である。図１２は、図７に示した打楽器の斜視図である。さらに、図１３は、図７に示した打楽器における使用状態を示す参考図である。尚、左側面図は、図９に示した右側面図と対称にあらわれるため省略されている。
【００７７】
図７〜１３に示すように、本物品は、容易に持ち運び可能又は携帯可能な、段ボール及び板紙合紙製の打楽器である。打楽器本体は段ボール製であって概ね直方体形状であり、内部に音響のための空洞を有し、さらに、演奏者の手で叩かれる側の面である打面を有する。また、打楽器本体は、この打面と対向する位置に、音響ホールの開口したホール面を有する。さらに、打楽器本体は、１つの展開した段ボールパターンを折り曲げて組み立てられたものであり、平面図（図１０）及び底面図（図１１）にはそれぞれ、天面（座面）及び底面をなすフラップの合わせ目が見えている。また、座面には円形の補強板が貼り付けられている。本打楽器は、さらに、板紙合紙製の打面プレートを有する。打面プレートは、厚みをもった楕円形状であり、打面と所定の間隔をもって少なくとも打面の上部を覆うように取り付けられている。打面プレートの上端部は、打面の上端辺からはみ出ている。本打楽器では、打面プレートの位置を叩くと高打音（周波数のより高い打音）が発生し、打面プレートの下方の打面中央付近の位置を叩くと低打音（周波数のより低い打音）が発生する。
【００７８】
図１４は、本発明による段ボール打楽器の他の実施形態（ボルカホン２）を示す正面図である。また、図１５は、図１４に示した打楽器の背面図である。図１６は、図１４に示した打楽器の右側面図である。図１７は、図１４に示した打楽器の平面図である。図１８は、図１４に示した打楽器の底面図である。図１９は、図１４に示した打楽器の斜視図である。さらに、図２０は、図１４に示した打楽器における使用状態を示す参考図である。尚、左側面図は、図１６に示した右側面図と対称にあらわれるため省略されている。
【００７９】
図１４〜２０に示すように、本物品は、容易に持ち運び可能又は携帯可能な、段ボール及び板紙合紙製の打楽器である。打楽器本体は段ボール製であって概ね四角錐台形状であり、内部に音響のための空洞を有し、さらに、演奏者の手で叩かれる側の面である打面を有する。また、打楽器本体は、この打面と対向する位置に、音響ホールの開口したホール面を有する。本打楽器は、さらに、板紙合紙製の打面プレートを有する。打面プレートは、厚みをもった楕円形状であり、打面と所定の間隔をもって少なくとも打面の上部を覆うように取り付けられている。打面プレートの上端部は、打面の上端辺からはみ出ている。本打楽器では、打面プレートの位置を叩くと高打音（周波数のより高い打音）が発生し、打面プレートの下方の打面中央付近の位置を叩くと低打音（周波数のより低い打音）が発生する。
【００８０】
図２１は、本発明による段ボール打楽器の更なる他の実施形態（ボルカホン３）を示す正面図である。また、図２２は、図２１に示した打楽器の背面図である。図２３は、図２１に示した打楽器の右側面図である。図２４は、図２１に示した打楽器の平面図である。図２５は、図２１に示した打楽器の底面図である。図２６は、図２１に示した打楽器の斜視図である。さらに、図２７は、図２１に示した打楽器における使用状態を示す参考図である。尚、左側面図は、図２３に示した右側面図と対称にあらわれるため省略されている。
【００８１】
図２１〜２７に示すように、本物品は、容易に持ち運び可能な、段ボール及び板紙合紙製の打楽器である。打楽器本体は段ボール製であって概ね直方体形状であり、内部に音響のための空洞を有し、さらに、演奏者の手で叩かれる側の面である打面を有する。また、打楽器本体は、この打面と対向する位置に、音響ホールの開口したホール面を有する。さらに、打楽器本体は、１つの展開した段ボールパターンを折り曲げて組み立てられたものであり、平面図（図２４）及び底面図（図２５）にはそれぞれ、天面（座面）及び底面をなすフラップの合わせ目が見えている。本打楽器は、さらに、板紙合紙製の打面プレートを有する。打面プレートは、打面の全面を覆うような厚みをもった四角形状であり、打面と所定の間隔をもって少なくとも打面の上部を覆うように取り付けられている。本打楽器では、打面プレートの上方の位置を叩くと高打音（周波数のより高い打音）が発生し、打面プレートの中央付近の位置を叩くと低打音（周波数のより低い打音）が発生する。
【００８２】
以上詳細に説明したように、本発明によれば、中芯材をライナー材で挟んだシート材で構成された本体と、板紙、板紙合紙又はプラスチック板で形成された打面プレートとを組み合わせることによって、高音質の高打音及び低打音を分離して発生させることができ且つその音量を抑制し、さらに軽量且つ容易に持ち運び可能な打楽器（ボルカホン）を提供することができる。
【００８３】
また、１つの軽量且つ持ち運び可能な打楽器で、音量の抑制された高音質の高打音及び低打音を分離して発生させることが可能となる。
【００８４】
このような本発明による打楽器（ボルカホン）を用いることによって、例えば、日常の生活空間で、子供や年配者でも気軽に、さほど騒音を気にすることなく演奏を楽しむことができる。また、例えば、保育園、幼稚園、小学校や中学校等でも、音楽教育の一環として本格的な打楽器を教材として提供することも可能となる。
【００８５】
なお、以上に述べた実施形態は全て、本発明を例示的に示すものであって限定的に示すものではなく、本発明は、他の種々の変形態様及び変更態様で実施することができる。従って、本発明の範囲は、特許請求の範囲及びその均等範囲によってのみ規定されるものである。
【符号の説明】
【００８６】
１、２、３  ボルカホン（打楽器）
１１、２１、３１  本体
１２、２２、３２  打面プレート
１３、２３、３３  スペーサ
１４、２４、３４  音響ホール
１５、２５、３５  ホール面
１６、２６、３６  打面
１７、３７  補強板
３８  音響弦部
１９、２９  手持ち穴
【要約】      （修正有）【課題】高音質の高打音及び低打音を分離して発生させることができ且つその音量を抑制し、さらに軽量且つ容易に持ち運び可能な打楽器を提供する。【解決手段】打楽器は、板紙、板紙合紙又はプラスチック製の中芯材を板紙、板紙合紙又はプラスチック製のライナー材で挟むことによってシート内部に音響微小空間を形成したシート材で構成される。叩かれる側の面である打面１６を有する本体１１と、打面１６と所定の間隔をもって少なくともこの打面１６の上部を覆うように取り付けられ、板紙、板紙合紙又はプラスチック板で形成された打面プレート１２とを備えている。打面プレート１２を叩いた際の打音が、打面１６における中央領域を叩いた際の打音よりも高音となる。打面プレート１２は、上端部が打面１６の上端辺からはみ出るように取り付けられている。【選択図】図１【図１】
0005642308.tif 000002
【図２】
0005642308.tif 000003
【図３】
0005642308.tif 000004
【図４】
0005642308.tif 000005
【図５】
0005642308.tif 000006
【図６】
0005642308.tif 000007
【図７】
0005642308.tif 000008
【図８】
0005642308.tif 000009
【図９】
0005642308.tif 000010
【図１０】
0005642308.tif 000011
【図１１】
0005642308.tif 000012
【図１２】
0005642308.tif 000013
【図１３】
0005642308.tif 000014
【図１４】
0005642308.tif 000015
【図１５】
0005642308.tif 000016
【図１６】
0005642308.tif 000017
【図１７】
0005642308.tif 000018
【図１８】
0005642308.tif 000019
【図１９】
0005642308.tif 000020
【図２０】
0005642308.tif 000021
【図２１】
0005642308.tif 000022
【図２２】
0005642308.tif 000023
【図２３】
0005642308.tif 000024
【図２４】
0005642308.tif 000025
【図２５】
0005642308.tif 000026
【図２６】
0005642308.tif 000027
【図２７】
0005642308.tif 000028